(57)【要約】      （修正有）【課題】何等の準備作業を必要とすることなく、宛名等の文字列を曲がることなく真っすぐに記載したり、宛名ラベルを真っ直ぐに貼り付けたり、切手を傾くことなく的確に貼付けることが容易な方眼入り封筒を提供する。【解決手段】方眼入り封筒１は、封筒本体２の前面３、後面及び舌片５の面に、縦線ｌ、横線ｍを薄く表出させた文字位置決め用の方眼を入れ構成した。【選択図】図１
0003116661.tif 000002
【実用新案登録請求の範囲】
【請求項１】
封筒本体の前面、後面及び舌片面に、方眼を入れたことを特徴とする方眼入り封筒。
【請求項２】
封筒本体の前面、後面及び舌片面に、縦横の平行線を薄く表出させた文字位置決め用の方眼を入れたことを特徴とする方眼入り封筒。
【請求項３】
定形郵便扱いとされる寸法の封筒本体の前面、後面及び舌片面に、縦横の平行線を薄く表出させた文字位置決め用の方眼を入れたことを特徴とする方眼入り封筒。
【請求項４】
定形外郵便扱いとされる寸法の封筒本体の前面、後面及び舌片面に、縦横の平行線を薄く表出させた文字位置決め用の方眼を入れたことを特徴とする方眼入り封筒。
【考案の詳細な説明】
【技術分野】
【０００１】
本考案は、方眼入り封筒に関し、詳しくは、郵便扱い等とされる封筒に対する宛名等の記載の便宜を図った方眼入り封筒に関するものである。
【背景技術】
【０００２】
一般に、各種寸法の封筒に対して、宛先の住所氏名、差出人の住所氏名等の文字列を記載する際に、封筒自体は白色紙等によりその前面、後面を無地として形成しているため、文字を曲がらずに真っすぐ記載することは難しい。また、宛名ラベルを真っ直ぐに貼り込むことも困難である。同様に、封筒前面の隅部等に切手を貼付する場合も、切手を曲がらずに真っすぐ貼付することも難しい。この結果、宛名等の文字列が曲ったり、切手が傾いて貼付されてしまい、当該封筒を受け取る受取人が好ましくない印象を抱くことも多々生じる。
【０００３】
特許文献１には、板材に封筒、葉書等の紙面に対して宛名、差出人等の文字を記載するための基準線を引くことが可能な直線状の切り欠き部を所要数設け、この切り欠き部を利用して紙面に基準線を引き、記載する文字を真っすぐ整列するように構成した記載位置を確定させる定規が提案されている。
【０００４】
しかし、この特許文献１の定規の場合、まず、封筒等の紙面に定規を当接させて、鉛筆等で基準線を引いた後、基準線を利用して宛名用等の文字を記載しなければならず、封筒等の紙面に文字を記載する前の準備作業を要するという煩雑さを包含している。
【特許文献１】特開２００５−１１９２５０号公報
【考案の開示】
【考案が解決しようとする課題】
【０００５】
解決しようとする問題点は、何等の準備作業を必要とすることなく、宛名等の文字列を曲がることなく真っすぐに記載したり、宛名ラベルを真っ直ぐに貼り付けたり、切手を傾くことなく的確に貼付けることが容易な封筒が存在しない点である。
【課題を解決するための手段】
【０００６】
本考案の方眼入り封筒は、封筒本体の前面、後面及び舌片面に、方眼を入れたことを最も主要な特徴とする。
【考案の効果】
【０００７】
本考案によれば、以下の効果を奏する。
請求項１記載の考案によれば、封筒本体の前面、後面及び舌片面に、方眼を入れたものであるから、何等の準備作業を必要とすることなく、前記方眼を利用して封筒本体の前面に対する宛名等の文字列を曲がることなく真っすぐに記載したり、宛名ラベルを真っ直ぐに貼り付けたり、封筒本体の後面に差し出し人の住所、氏名を記載したり、更には封筒本体の前面隅部に切手を傾くことなく的確に貼付けることが容易で、しかも、当該方眼部分を一種独特な模様としても把握できる方眼入り封筒を提供することができる。
【０００８】
請求項２記載の考案によれば、封筒本体の前面、後面及び舌片面に、縦横の平行線を薄く表出させた文字位置決め用の方眼を入れたものであるから、何等の準備作業を必要とすることなく、前記縦横の平行線を薄く表出させた方眼を利用して封筒本体の前面に対する宛名等の文字列を曲がることなく真っすぐに記載したり、宛名ラベルを真っ直ぐに貼り付けたり、封筒本体の後面に差し出し人の住所、氏名を記載したり、更には封筒本体の前面隅部に切手を傾くことなく的確に貼付けることが容易で、しかも、当該方眼部分を一種独特な模様としても把握できる方眼入り封筒を提供することができる。
【０００９】
請求項３記載の考案によれば、定形郵便扱いとされる寸法の封筒本体における前面、後面及び舌片面に、縦横の平行線を薄く表出させた文字位置決め用の方眼を入れたものであるから、この定形郵便扱いとされる封筒に対して所要の文字列を記載したり、宛名ラベルを真っ直ぐに貼り付けたり、切手を貼付したりする場合に、請求項２の考案と同様な効果を奏することができる。
【００１０】
請求項４記載の考案によれば、定形外郵便扱いとされる寸法の封筒本体の前面、後面及び舌片面に、縦横の平行線を薄く表出させた文字位置決め用の方眼を入れたものであるから、この定形郵便扱いとされる封筒に対して所要の文字列を記載したり、宛名ラベルを真っ直ぐに貼り付けたり、切手を貼付したりする場合に請求項２の考案と同様な効果を奏することができる。
【００１１】
なお、請求項１乃至請求項４記載の各考案は、封筒のサイズ、形態が、例えば角形０号、角形１号、角形２号、角形３号、角形４号、角形５号、角形６号、角形７号、角形７号、角形８号、長形１号、長形２号、長形３号、長形４号をはじめとする各種寸法の封筒に適用できる。
【考案を実施するための最良の形態】
【００１２】
本考案は、何等の準備作業を必要とすることなく、宛名等の文字列を曲がることなく真っすぐに記載したり、宛名ラベルを真っ直ぐに貼り付けたり、切手を傾くことなく的確に貼付けることが容易な封筒を提供するという目的を、封筒本体の前面、後面及び舌片面に、縦横の平行線を薄く表出させた文字位置決め用の方眼を入れた構成により実現した。
【実施例】
【００１３】
以下に、本考案の実施例を詳細に説明する。
（実施例１）
図１乃至図４を参照して本考案の実施例１に係る方眼入り封筒１について説明する。
【００１４】
本実施例１に係る方眼入り封筒１は、外形寸法を１２０×１７５ｍｍ型として構成したものである。この方眼入り封筒１は、平面四角形状の封筒本体２の前面３の郵便番号欄７以外の領域、後面４の舌片５で隠れる領域以外及び舌片５の全領域の各面に、縦線ｌ（Ｌの小文字／以下同じ）、横線ｍからなる縦横の平行線を、各々一定間隔をもって印刷等で表出させ、これら前面３、後面４及び舌片５の各面に升目部分６を形成している。
【００１５】
各縦線ｌ間の表出間隔、各横線ｍ間の表出間隔は、任意であるが本実施例１ではともに７ｍｍとしている。従って、升目部分６は、７×７ｍｍの正方形状を呈するようになっている。各縦線ｌの表出間隔、各横線ｍの表出間隔は、上述した場合の他、５ｍｍ、１０ｍｍ等任意に設定可能である。
【００１６】
また、前記縦線ｌ、横線ｍは、外部から視認し得る範囲で最も薄く表出する細い実線又は点線のような線分としている。
【００１７】
前記方眼入り封筒１の後面４には、図３、図４に示すように、便箋等を収納するための収納領域９を形成する３個の略三角形状の折り込み片８ａ、８ｂ、８ｃが折り込まれ、且つ、糊付けされており、更に折り込み片８ｃに対向する配置で略三角形状の前記舌片５が収納領域９を開閉するように設けている。図４中、１０は前記舌片５の折り込み線を示すものである。
【００１８】
また、前記舌片５のＶ状を呈する縁部には、糊代部１１を設けている。更に前記折り込み片８ａ、８ｂ、８ｃにおける前記舌片５と重合する部分にも、糊代部１２を設けている。
【００１９】
上記構成の本実施例１に係る方眼入り封筒１によれば、封筒本体２の前面３の郵便番号欄７以外の領域、後面４、舌片５の全領域に縦線ｌ、横線ｍからなる縦横の平行線を各々一定間隔をもって薄く表出させているので、これら各面の所定の箇所に必要な文字を記載する際に、縦線ｌや横線ｍ、更には升目部分６を基準として必要な文字を曲がることなく真っすぐに体裁よく記載して行くことができる。
【００２０】
図１は、封筒本体２の前面３に宛名の住所の一部として「東京都」と記載した例を示すものである。また、図３は、封筒本体２の後面４に差出人の住所の一部として「大阪府」と記載した例を示すものである。
【００２１】
また、本実施例１に係る方眼入り封筒１によれば、封筒本体２の前面３の左隅部に切手１３を貼付する場合においても、この切手１３を、前記縦線ｌや横線ｍ更には升目部分６を基準として曲がることなく真っすぐに体裁よく貼付することができる。
【００２２】
なお、上述したような宛名や差出人の文字を記載する際に、例えば升目部分６の４個分を一升と見立てて、見立てた一升毎に大きな文字で宛名や差出人の住所、氏名等を記載して行くことも勿論可能である。
【００２３】
更に、本実施例１に係る方眼入り封筒１は、前記縦線ｌ、横線ｍからなる縦横の平行線、更には升目部分６を利用して、宛名や差出人の住所、氏名等々を縦書き、横書きいずれの形態でも各々曲がることなく真っすぐに体裁よく記載することができる。しかも、当該方眼部分を、封筒１の一種独特な模様としても把握できる。
【００２４】
（実施例２）
図５乃至図８を参照して本考案の実施例２に係る方眼入り封筒２１について説明する。本実施例２に係る方眼入り封筒２１は、定形郵便物扱いとされる長形３号（１２０×２３５ｍｍ）型として構成したものである。
【００２５】
この方眼入り封筒２１は、平面四角形状の封筒本体２２における図５に示す前面２３の郵便番号欄２７以外の領域、図７に示す後面２４の舌片２５を含む全領域の各面に、縦線ｌ、横線ｍからなる縦横の平行線を各々一定間隔をもって印刷等で表出させ、これら前面２３、後面２４及び舌片２５の各面に升目部分２６を形成している。
【００２６】
前記封筒本体２２の前面２３は表片３１により、後面２４は表片３１の一辺から折り返し重合した便箋等を収納するための収納領域２９を形成するための後片３２により構成している。
【００２７】
前記表片３１の他辺（図７に示す右側端辺）から後片３２側に、つまり図７における紙面裏側から表側に小幅の折り返し片３１ａが設けられ、前記後片３２の他片部分と折り返し片３１ａとを重合して糊付けし、更に表片３１の下端から後片３２側に折り返した下部折り返し片３１ｂを、前記後片３２の下部に糊付けして、これにより、前記表片３１と後片３２との間に袋状で前記舌片２５により開閉される収納領域２９を形成するようになっている。前記舌片２５の裏面は、図８に示すように、糊付部２５ａとしている。
【００２８】
前記各縦線ｌ間の表出間隔、各横線ｍ間の表出間隔は、実施例１の場合と同様任意であるが、本実施例２ではともに７ｍｍとしている。従って、升目部分２６は、７×７ｍｍの正方形状を呈するようになっている。各縦線ｌの表出間隔、各横線ｍの表出間隔は、上述した場合の他、５ｍｍ、１０ｍｍ等任意に設定可能である。
【００２９】
また、前記縦線ｌ、横線ｍは、外部から視認し得る範囲で最も薄く表出する細い実線又は点線のような線分としている。なお、図６、図８中、１０は前記舌片２５の折り込み線を示すものである。
【００３０】
上記構成の本実施例２に係る方眼入り封筒２１によれば、封筒本体２２の前面２３の郵便番号欄２７以外の領域、後面２４、舌片２５の全領域に縦線ｌ、横線ｍからなる縦横の平行線を各々一定間隔をもって薄く表出させているので、これら各面の所定の箇所に必要な文字を記載する際に、縦線ｌや横線ｍ、更には升目部分２６を基準として実施例１の場合と同様、必要な文字を曲がることなく真っすぐに体裁よく記載して行くことができる。しかも、当該方眼部分を、封筒２１の一種独特な模様としても把握できる。
【００３１】
また、本実施例２に係る方眼入り封筒２１によれば、封筒本体２２の前面２３の左隅部に切手１３を貼付する場合においても、この切手１３を前記縦線ｌや横線ｍ、更には升目部分２６を基準として曲がることなく真っすぐに体裁よく貼付することができる。
【００３２】
なお、上述したような宛名や差出人の文字を記載する際に、例えば升目部分２６の４個分を一升と見立てて、見立てた一升毎に大きな文字で宛名や差出人の住所、氏名等を記載して行くことももちろん可能である。
【００３３】
本考案は、上述した実施例１、２の場合の他、定形郵便物扱いや定形外郵便物扱いとされる封筒である各種寸法のものに各々適用できる。
すなわち、本考案は、封筒のサイズ、形態が、例えば角形０号、角形１号、角形２号、角形３号、角形４号、角形５号、角形６号、角形７号、角形７号、角形８号、長形１号、長形２号、長形３号、長形４号等をはじめとする各種寸法の封筒に適用して、各々既述した場合と同様な作用、効果を発揮させることができる。
【産業上の利用可能性】
【００３４】
本考案は、既述した封筒の他、文字列を曲がることなく真っすぐに記載することが要求される葉書類、各種カード類に幅広く適用可能である。
【図面の簡単な説明】
【００３５】
【図１】本考案の実施例１に係る方眼入り封筒の前面図である。
【図２】本実施例１に係る方眼入り封筒の舌片を開いた状態の前面図である。
【図３】本実施例１に係る方眼入り封筒の後面図である。
【図４】本実施例１に係る方眼入り封筒の舌片を開いた状態の後面図である。
【図５】本考案の実施例２に係る方眼入り封筒の前面図である。
【図６】本実施例２に係る方眼入り封筒の舌片を開いた状態の前面図である。
【図７】本実施例２に係る方眼入り封筒の後面図である。
【図８】本実施例２に係る方眼入り封筒の舌片を開いた状態の後面図である。
【符号の説明】
【００３６】
１    方眼入り封筒
２    封筒本体
３    前面
４    後面
５    舌片
６    升目部分
７    郵便番号欄
８ａ  折り込み片
８ｂ  折り込み片
８ｃ  折り込み片
９    収納領域
１１    糊代部
１２    糊代部
１３    切手
２１    方眼入り封筒
２２    封筒本体
２３    前面
２４    後面
２５    舌片
２５ａ  糊付部
２６    升目部分
２７    郵便番号欄
２９    収納領域
３１    表片
３１ａ  折り返し片
３１ｂ  下部折り返し片
３２    後片
ｌ    縦線
ｍ    横線
【図１】
0003116661.tif 000003
【図２】
0003116661.tif 000004
【図３】
0003116661.tif 000005
【図４】
0003116661.tif 000006
【図５】
0003116661.tif 000007
【図６】
0003116661.tif 000008
【図７】
0003116661.tif 000009
【図８】
0003116661.tif 000010